(57)【特許請求の範囲】
【請求項１】
円板状の記録媒体であるディスクに記録されている情報を再生するディスク再生装置において、
ＣＤ規格のディスクを再生するためのレーザであるＣＤ用レーザと、
ＤＶＤ規格のディスクを再生するためのレーザであるＤＶＤ用レーザと、
再生対象がＣＤ規格のディスクである場合は前記ＣＤ再生用レーザを、再生対象がＤＶＤ規格のディスクである場合は前記ＤＶＤ再生用レーザを、それぞれ点灯させることによって再生対象のディスクにビームを照射し、再生対象のディスクからの反射光を取り込んで電気信号に変換することによって再生対象のディスクに記録されている情報を読み取るピックアップと、
再生対象のディスクに照射されるビームのスポットが再生対象のディスクの記録面からずれている量を示すフォーカシングエラー信号を前記ピックアップによって得られる電気信号に基づいて生成するフォーカシングエラー信号生成手段と、
前記ピックアップによって得られる電気信号の全てを加算した信号の低域成分である全加算信号を生成する全加算信号生成手段と、
前記ピックアップから再生対象であるディスクに照射されるビームのスポットを再生対象であるディスクの記録面に対して垂直な方向に移動させるフォーカスサーチを行うフォーカスサーチ手段と、
前記ＣＤ用レーザを点灯させた状態で前記フォーカスサーチを行い、そのときの前記フォーカシングエラー信号の最大値と最小値との差であるＣＤ−ＦＥ（ｐｐ）、及び、そのときの前記全加算信号の最大値であるＣＤ−ＡＳ（ｍａｘ）を検出する第１の検出手段と、
前記ＤＶＤ用レーザを点灯させた状態で前記フォーカスサーチを行い、そのときの前記フォーカシングエラー信号の最大値と最小値の差であるＤＶＤ−ＦＥ（ｐｐ）、及び、そのときの前記全加算信号の最大値であるＤＶＤ−ＡＳ（ｍａｘ）を検出する第２の検出手段と、
前記ＤＶＤ−ＦＥ（ｐｐ）を前記ＤＶＤ−ＡＳ（ｍａｘ）で割って得られる値を、前記ＣＤ−ＦＥ（ｐｐ）を前記ＣＤ−ＡＳ（ｍａｘ）で割って得られる値で割って得られる値である｛ＤＶＤ−ＦＥ（ｐｐ）／ＤＶＤ−ＡＳ（ｍａｘ）｝／｛ＣＤ−ＦＥ（ｐｐ）／ＣＤ−ＡＳ（ｍａｘ）｝を算出する算出手段と、
前記｛ＤＶＤ−ＦＥ（ｐｐ）／ＤＶＤ−ＡＳ（ｍａｘ）｝／｛ＣＤ−ＦＥ（ｐｐ）／ＣＤ−ＡＳ（ｍａｘ）｝と閾値との大小関係に応じて再生対象がＣＤ規格のディスクであるかＤＶＤ規格のディスクであるかを判定する第１の判定手段と、
第１の判定手段によって再生対象がＣＤ規格のディスクであると判定された場合に、前記ＣＤ−ＡＳ（ｍａｘ）と閾値との大小関係に基づいて再生対象が高反射型のディスクであるか低反射型のディスクであるかを判定する第２の判定手段と、
第１の判定手段によって再生対象がＤＶＤ規格のディスクであると判定された場合に、前記ＤＶＤ−ＡＳ（ｍａｘ）と閾値との大小関係に基づいて再生対象が高反射型のディスクであるかそれとも低反射型のディスクであるかを判定する第３の判定手段と、
を備えたことを特徴とするディスク再生装置。
【請求項２】
円板状の記録媒体であるディスクの種類を判別するディスク種類判別方法において、
ＣＤ規格のディスクを再生するためのレーザであるＣＤ用レーザを点灯させた状態で、ディスクに照射されるビームのスポットをディスクの記録面に対して垂直な方向に移動させるフォーカスサーチを行い、そのときのディスクに照射されるビームのスポットがディスクの記録面からずれている量を示すフォーカシングエラー信号の振幅に応じた値であるＣＤ−ＦＥ、及び、そのときのディスクからの反射光を変換して得られる電気信号の全てを加算した信号の低域成分である全加算信号の振幅に応じた値であるＣＤ−ＡＳを検出する第１のステップと、
ＤＶＤ規格のディスクを再生するためのレーザであるＤＶＤ用レーザを点灯させた状態で前記フォーカスサーチを行い、そのときの前記フォーカシングエラー信号の振幅に応じた値であるＤＶＤ−ＦＥ、及び、そのときの前記全加算信号の振幅に応じた値であるＤＶＤ−ＡＳを検出する第２のステップと、
前記ＣＤ−ＦＥと前記ＣＤ−ＡＳとの比であるＣＤ−ＦＥ・ＡＳ比、前記ＤＶＤ−ＦＥと前記ＤＶＤ−ＡＳとの比であるＤＶＤ−ＦＥ・ＡＳ比、及び、前記ＣＤ−ＦＥ・ＡＳ比と前記ＤＶＤ−ＦＥ・ＡＳ比との比であるＣＤ・ＤＶＤ−ＦＥ・ＡＳ比を算出する第３のステップと、
前記ＣＤ・ＤＶＤ−ＦＥ・ＡＳ比に基づいて判別対象であるディスクがＣＤ規格のディスクであるかそれともＤＶＤ規格のディスクであるかを判定する第４のステップと、
を含むことを特徴とするディスク種類判別方法。
【請求項３】
前記ＣＤ−ＦＥは前記ＣＤ用レーザを点灯させた状態で前記フォーカスサーチを行っているときの前記フォーカシングエラー信号の最大値と最小値との差であり、前記ＣＤ−ＡＳは前記ＣＤ用レーザを点灯させた状態で前記フォーカスサーチを行っているときの前記全加算信号の最大値であり、前記ＤＶＤ−ＦＥは前記ＤＶＤ用レーザを点灯させた状態で前記フォーカスサーチを行っているときの前記フォーカシングエラー信号の最大値と最小値との差であり、前記ＤＶＤ−ＡＳは前記ＤＶＤ用レーザを点灯させた状態で前記フォーカスサーチを行っているときの前記全加算信号の最大値であることを特徴とする請求項２に記載のディスク種類判別方法。
【請求項４】
前記第４のステップによって判別対象であるディスクがＣＤ規格のディスクであると判定された場合に、前記ＣＤ−ＡＳに基づいて判別対象であるディスクが高反射型のディスクであるかそれとも低反射型のディスクであるかを判定する第５のステップと、
前記第４のステップによって判別対象であるディスクがＤＶＤ規格のディスクであると判定された場合に、前記ＤＶＤ−ＡＳに基づいて判別対象であるディスクが高反射型のディスクであるかそれとも低反射型のディスクであるかを判定する第６のステップと、
をさらに含むことを特徴とする請求項２または３に記載のディスク種類判別方法。
【発明の詳細な説明】
【０００１】
【発明の属する技術分野】
本発明は、円板状の記録媒体であるディスクを再生するディスク再生装置に関し、特に、ＣＤ規格のディスクとＤＶＤ規格のディスクとを再生可能なディスク再生装置、及び、ＣＤ規格のディスクとＤＶＤ規格のディスクとを判別するディスク種類判別方法に関するものである。
【０００２】
【従来の技術】
ディスクの種類の多様化に伴い、複数種類のディスクを再生可能なディスク再生装置が提供されている。このようなディスク再生装置では、ディスクの種類によって再生動作に関する各種のパラメータが異なるので、再生対象であるディスクの種類を判別し、その判別結果に応じて上記パラメータを設定する必要がある。特開２００１−３５１３１５の公報には、ＣＤ用レーザとＤＶＤ用レーザとの２つのレーザを備えたシステムを対象としたＣＤ規格のディスクとＤＶＤ規格のディスクとを判別する方法の一例が開示されている。
【０００３】
この方法によれば、上記公報の図３にＳ７及びＳ８で示されるように、ＣＤ用レーザを点灯させてフォーカスサーチを行っているときのフォーカシングエラー信号のピーク・ピーク値（ＣＤＦＥｐｐ）に基づいてディスクがＣＤ−ＲＷを除くＣＤ規格のディスクであるか否かを判定するようになっている。
【０００４】
【発明が解決しようとする課題】
ここで、ディスクの反射率やレーザのパワーにばらつきが存在するため、ディスクからの反射光に基づいて生成されるフォーカスエラー信号のレベルにもばらつきが存在する。このため、上記公報に開示されている手法では、ディスクの種類を誤判定してしまう可能性がある。
【０００５】
また、ディスクの種類を判別するにあたって、フォーカスエラー信号のピーク・ピーク値、ＲＦ信号の直流成分最大値、及び、ＲＦ信号の交流成分最大値の３つの値が必要になるため、ディスクの種類の判別を迅速に行うことができない、ディスクの種類の判別が複雑になるという問題が懸念される。
【０００６】
そこで、本発明は、より正確、迅速、且つ、簡単にディスクの種類を判別することができるようにしたディスク再生装置及びディスク種類判別方法を提供することを目的とする。
【０００７】
【課題を解決するための手段】
上記の目的を達成するため、本発明では、円板状の記録媒体であるディスクに記録されている情報を再生するディスク再生装置において、
ＣＤ規格のディスクを再生するためのレーザであるＣＤ用レーザと、
ＤＶＤ規格のディスクを再生するためのレーザであるＤＶＤ用レーザと、
再生対象がＣＤ規格のディスクである場合は前記ＣＤ再生用レーザを、再生対象がＤＶＤ規格のディスクである場合は前記ＤＶＤ再生用レーザを、それぞれ点灯させることによって再生対象のディスクにビームを照射し、再生対象のディスクからの反射光を取り込んで電気信号に変換することによって再生対象のディスクに記録されている情報を読み取るピックアップと、
再生対象のディスクに照射されるビームのスポットが再生対象のディスクの記録面からずれている量を示すフォーカシングエラー信号を前記ピックアップによって得られる電気信号に基づいて生成するフォーカシングエラー信号生成手段と、
前記ピックアップによって得られる電気信号の全てを加算した信号の低域成分である全加算信号を生成する全加算信号生成手段と、
前記ピックアップから再生対象であるディスクに照射されるビームのスポットを再生対象であるディスクの記録面に対して垂直な方向に移動させるフォーカスサーチを行うフォーカスサーチ手段と、
前記ＣＤ用レーザを点灯させた状態で前記フォーカスサーチを行い、そのときの前記フォーカシングエラー信号の最大値と最小値との差であるＣＤ−ＦＥ（ｐｐ）、及び、そのときの前記全加算信号の最大値であるＣＤ−ＡＳ（ｍａｘ）を検出する第１の検出手段と、
前記ＤＶＤ用レーザを点灯させた状態で前記フォーカスサーチを行い、そのときの前記フォーカシングエラー信号の最大値と最小値の差であるＤＶＤ−ＦＥ（ｐｐ）、及び、そのときの前記全加算信号の最大値であるＤＶＤ−ＡＳ（ｍａｘ）を検出する第２の検出手段と、
前記ＣＤ−ＦＥ（ｐｐ）と前記ＣＤ−ＡＳ（ｍａｘ）との比であるＣＤ−ＦＥ（ｐｐ）・ＡＳ（ｍａｘ）比、前記ＤＶＤ−ＦＥ（ｐｐ）と前記ＤＶＤ−ＡＳ（ｍａｘ）との比であるＤＶＤ−ＦＥ（ｐｐ）・ＡＳ（ｍａｘ）比、及び、前記ＣＤ−ＦＥ（ｐｐ）・ＡＳ（ｍａｘ）比と前記ＤＶＤ−ＦＥ（ｐｐ）・ＡＳ（ｍａｘ）比との比であるＣＤ・ＤＶＤ−ＦＥ（ｐｐ）・ＡＳ（ｍａｘ）比を算出する算出手段と、
前記ＣＤ・ＤＶＤ−ＦＥ（ｐｐ）・ＡＳ（ｍａｘ）比と閾値との大小関係に応じて再生対象がＣＤ規格のディスクであるかＤＶＤ規格のディスクであるかを判定する第１の判定手段と、
第１の判定手段によって再生対象がＣＤ規格のディスクであると判定された場合に、前記ＣＤ−ＡＳ（ｍａｘ）と閾値との大小関係に基づいて再生対象が高反射型のディスクであるか低反射型のディスクであるかを判定する第２の判定手段と、
第１の判定手段によって再生対象がＤＶＤ規格のディスクであると判定された場合に、前記ＤＶＤ−ＡＳ（ｍａｘ）と閾値との大小関係に基づいて再生対象が高反射型のディスクであるかそれとも低反射型のディスクであるかを判定する第３の判定手段と、
を備えている。
【０００８】
また、本発明では、円板状の記録媒体であるディスクの種類を判別するディスク種類判別方法において、
ＣＤ規格のディスクを再生するためのレーザであるＣＤ用レーザを点灯させた状態で、ディスクに照射されるビームのスポットをディスクの記録面に対して垂直な方向に移動させるフォーカスサーチを行い、そのときのディスクに照射されるビームのスポットがディスクの記録面からずれている量を示すフォーカシングエラー信号の振幅に応じた値であるＣＤ−ＦＥ、及び、そのときのディスクからの反射光を変換して得られる電気信号の全てを加算した信号の低域成分である全加算信号の振幅に応じた値であるＣＤ−ＡＳを検出する第１のステップと、
ＤＶＤ規格のディスクを再生するためのレーザであるＤＶＤ用レーザを点灯させた状態で前記フォーカスサーチを行い、そのときの前記フォーカシングエラー信号の振幅に応じた値であるＤＶＤ−ＦＥ、及び、そのときの前記全加算信号の振幅に応じた値であるＤＶＤ−ＡＳを検出する第２のステップと、
前記ＣＤ−ＦＥと前記ＣＤ−ＡＳとの比であるＣＤ−ＦＥ・ＡＳ比、前記ＤＶＤ−ＦＥと前記ＤＶＤ−ＡＳとの比であるＤＶＤ−ＦＥ・ＡＳ比、及び、前記ＣＤ−ＦＥ・ＡＳ比と前記ＤＶＤ−ＦＥ・ＡＳ比との比であるＣＤ・ＤＶＤ−ＦＥ・ＡＳ比を算出する第３のステップと、
前記ＣＤ・ＤＶＤ−ＦＥ・ＡＳ比に基づいて判別対象であるディスクがＣＤ規格のディスクであるかそれともＤＶＤ規格のディスクであるかを判定する第４のステップと、
を含んでいる。
【０００９】
例えば、前記ＣＤ−ＦＥは前記ＣＤ用レーザを点灯させた状態で前記フォーカスサーチを行っているときの前記フォーカシングエラー信号の最大値と最小値との差であり、前記ＣＤ−ＡＳは前記ＣＤ用レーザを点灯させた状態で前記フォーカスサーチを行っているときの前記全加算信号の最大値であり、前記ＤＶＤ−ＦＥは前記ＤＶＤ用レーザを点灯させた状態で前記フォーカスサーチを行っているときの前記フォーカシングエラー信号の最大値と最小値との差であり、前記ＤＶＤ−ＡＳは前記ＤＶＤ用レーザを点灯させた状態で前記フォーカスサーチを行っているときの前記全加算信号の最大値である。
【００１０】
尚、前記第４のステップによって判別対象であるディスクがＣＤ規格のディスクであると判定された場合に、前記ＣＤ−ＡＳに基づいて判別対象であるディスクが高反射型のディスクであるかそれとも低反射型のディスクであるかを判定する第５のステップと、前記第４のステップによって判別対象であるディスクがＤＶＤ規格のディスクであると判定された場合に、前記ＤＶＤ−ＡＳに基づいて判別対象であるディスクが高反射型のディスクであるかそれとも低反射型のディスクであるかを判定する第６のステップと、をさらに含んでいてもよい。
【００１１】
【発明の実施の形態】
以下に本発明の実施形態を図面を参照しながら説明する。図１は本発明の一実施形態であるディスク再生装置のブロック図である。ピックアップ１は、ＣＤ規格のディスクを再生するためのレーザであるＣＤ用レーザ１１及びＤＶＤ規格のディスクを再生するためのレーザであるＤＶＤ用レーザ１２を備えており、再生対象であるディスク１００がＣＤ規格のディスクである場合にはＣＤ用レーザ１１を、ディスク１００がＤＶＤ規格のディスクである場合にはＤＶＤ用レーザ１２を、それぞれ点灯させることによって再生対象のディスクにビームを照射し、ディスク１００からの反射光を取り込んで電気信号に変換することによってディスク１００に記録されている情報を読み取る。ＣＤ用レーザ１１が発するビームの波長は７８０［ｎｍ］、ＤＶＤ用レーザ１２が発するビームの波長は６５０［ｎｍ］である。
【００１２】
尚、図示していないが、ピックアップ１は、レンズなどから成る光学系、ディスク１００に照射されるビームのスポットをフォーカシング方向（ディスク１００の記録面に対して垂直な方向）へ光学系を用いて移動させるフォーカシングアクチュエータ、及び、ディスク１００に照射されるビームのスポットをトラッキング方向（ディスク１００の半径方向）へ光学系を用いて移動させるトラッキングアクチュエータを有している。
【００１３】
また、本実施形態のディスク再生装置は、ディスク１００が着脱自在であり、ディスク１００の装着されたことを検出して後出するシステムコントローラ１１に通知する回路（不図示）を備えている。そして、システムコントローラ１１は、ディスク１００の装着された旨の通知を受けると、後述するようにしてディスク１００の種類を判別するようになっている。
【００１４】
ＲＦアンプ２は、ピックアップ１によって読み取られた信号（以下、「ＲＦ信号」と称する）を増幅し、増幅後のＲＦ信号から全加算信号ＡＳ、フォーカシングエラー信号ＦＥ、トラッキングエラー信号ＴＥなどを生成してＤＳＰ（Ｄｉｇｉｔａｌ  Ｓｉｇｎａｌ  Ｐｒｏｃｅｓｓｏｒ）３に供給する。
【００１５】
ここで、ＲＦ信号は複数の信号から成り、これらの複数の信号を全て加算したものの低域成分が全加算信号ＡＳである。フォーカシングエラー信号ＦＥは、ディスク１００に照射されるビームのスポットがディスク１００の記録面からずれている量を示す信号である。トラッキングエラー信号ＴＥは、ディスク１００に照射されるビームのスポットがディスク１００のトラックからずれている量を示す信号である。
【００１６】
ＤＳＰ３は、ＲＦアンプ２から供給されるフォーカシングエラー信号ＦＥ及びトラッキングエラー信号ＴＥをデジタル信号に変換し、変換後の信号に基づいて、ディスク１００に照射されるビームのスポットをディスク１００の記録面に追従させるためのフォーカシング駆動信号ＦＤ、並びに、ディスク１００に照射されるビームのスポットをディスク１００のトラックに追従させるためのトラッキング駆動信号ＴＤ、及び、送りモータ駆動信号ＳＬＤを生成してドライバ４に与える。
【００１７】
また、ＤＳＰ３は、ＲＦ信号をデジタル信号に変換し、この変換後のＲＦ信号に対して再生対象であるディスクの種類に応じた復調処理、誤り検出及び訂正処理などを施して再生処理回路５に供給する。また、ＤＳＰ３は、ディスク１００の回転数を目標値にするためのスピンドルモータ駆動信号ＳＰＤを生成してドライバ４に供給する。さらに、ＤＳＰ３は、ＲＦアンプ２から与えられる全加算信号ＡＳ及びフォーカシングエラー信号ＦＥをデジタル信号に変換してシステムコントローラ１１に供給する。
【００１８】
ドライバ４は、ＤＳＰ３から供給されるフォーカシング駆動信号ＦＤ、トラッキング駆動信号ＴＤ、送りモータ駆動信号ＳＬＤ、スピンドルモータ駆動信号ＳＰＤに基づいて、それぞれピックアップ１内のフォーカシングアクチュエータ、トラッキングアクチュエータ、送りモータ７、スピンドルモータ８を駆動する。
【００１９】
再生処理回路５は、ＤＳＰ３から供給される信号に再生対象であるディスクの種類に応じた復号化処理を施すことによって情報を再生する。再生処理回路５によって再生された情報は出力回路６によって外部に出力される。送りモータ７は、ピックアップ１をディスク１００の半径方向へ移動させるためのモータである。スピンドルモータ８は、ディスク１００を回転させるためのモータである。
【００２０】
操作部９は、使用者が当ディスク再生装置に対して各種の命令を入力するためのものである。尚、当ディスク再生装置に対して使用者が入力した命令はシステムコントローラ１１によって受け付けられる。表示部１０は、システムコントローラ１１による制御の下で、時刻、当ディスク再生装置の動作状態を示す情報、再生中のデータに関する情報（例えば、再生中の音楽のタイトル）などを表示する。システムコントローラ１１は、例えばマイクロコンピュータで構成されており、操作部９を介して使用者から入力された命令に応じて当ディスク再生装置の構成要素を制御する。
【００２１】
本実施形態のディスク再生装置においてディスク１００の種類を判別する際にシステムコントローラ１１が行う動作を図２に示すフローチャートを用いて説明する。まず、ピックアップ１内のＣＤ用レーザ１１のみを点灯させる（＃１）。次に、ディスク１００に照射されるビームのスポットをフォーカス方向へ移動させるフォーカスサーチを開始する（＃２）。次に、フォーカシングエラー信号及び全加算信号のサンプリングを開始する（＃３）。
【００２２】
＃２でフォーカスサーチを開始してから所定時間ｔが経過すると（＃４のＹｅｓ）、システムコントローラ１１は、フォーカシングエラー信号及び全加算信号のサンプリングを停止し、サンプリングしたデータから＃２で開始したフォーカスサーチが行われている間におけるフォーカシングエラー信号の最大値と最小値との差（以下、「ピーク・ツー・ピーク値」と称する）、及び、全加算信号の最大値を検出する（＃５）。以下、＃５で検出したフォーカシングエラー信号のピーク・ツー・ピーク値をＣＤ−ＦＥ（ｐｐ）で、全加算信号の最大値をＣＤ−ＡＳ（ｍａｘ）でそれぞれ表すものとする。
【００２３】
尚、＃４及び後出する＃９での所定時間ｔは、フォーカスサーチを行った際に、ディスク１００に照射されるビームのスポットがフォーカス方向へ可動域全域にわたって移動するまでに要する時間、あるいは、それよりも長い時間に設定されている。
【００２４】
次に、ピックアップ１内のＣＤ用レーザ１１を消灯させ、ＤＶＤ用レーザ１２を点灯させる（＃６）。次に、ディスク１００に照射されるビームのスポットをフォーカス方向へ移動させるフォーカスサーチを開始する（＃７）。次に、システムコントローラ１１がフォーカシングエラー信号及び全加算信号のサンプリングを開始する（＃８）。
【００２５】
＃７でフォーカスサーチを開始してから所定時間ｔが経過すると（＃９のＹｅｓ）、システムコントローラ１１は、フォーカシングエラー信号及び全加算信号のサンプリングを停止し、サンプリングしたデータから＃７で開始したフォーカスサーチが行われている間におけるフォーカシングエラー信号のピーク・ツー・ピーク値（最大値と最小値との差）、及び、全加算信号の最大値を検出する（＃１０）。以下、＃１０で検出したフォーカシングエラー信号のピーク・ツー・ピーク値をＤＶＤ−ＦＥ（ｐｐ）で、全加算信号の最大値をＤＶＤ−ＡＳ（ｍａｘ）でそれぞれ表すものとする。
【００２６】
次に、ＤＶＤ−ＦＥ（ｐｐ）をＤＶＤ−ＡＳ（ｍａｘ）で割って得られる値を、ＣＤ−ＦＥ（ｐｐ）をＣＤ−ＡＳ（ｍａｘ）で割って得られる値で割って得られる値である｛ＤＶＤ−ＦＥ（ｐｐ）／ＤＶＤ−ＡＳ（ｍａｘ）｝／｛ＣＤ−ＦＥ（ｐｐ）／ＣＤ−ＡＳ（ｍａｘ）｝を算出し、この｛ＤＶＤ−ＦＥ（ｐｐ）／ＤＶＤ−ＡＳ（ｍａｘ）｝／｛ＣＤ−ＦＥ（ｐｐ）／ＣＤ−ＡＳ（ｍａｘ）｝が閾値よりも大きいか否かを判定する（＃１１）。尚、本実施形態では、＃１１での閾値を１．２としている。但し、＃１１での閾値は、本実施形態の値に限定されるものではなく、種々の条件に応じた最適な値に設定すればよい。
【００２７】
｛ＤＶＤ−ＦＥ（ｐｐ）／ＤＶＤ−ＡＳ（ｍａｘ）｝／｛ＣＤ−ＦＥ（ｐｐ）／ＣＤ−ＡＳ（ｍａｘ）｝が閾値よりも大きければ（＃１１のＹｅｓ）、ディスク１００がＣＤ規格であると判定し、さらに、ＣＤ−ＡＳ（ｍａｘ）が閾値よりも小さいか否かを判定する（＃１２）。尚、本実施形態では、＃１２での閾値を０．７［Ｖ］としている。但し、＃１２での閾値は、本実施形態の値に限定されるものではなく、種々の条件に応じた最適な値に設定すればよい。
【００２８】
ＣＤ−ＡＳ（ｍａｘ）が閾値よりも小さければ（＃１２のＹｅｓ）、ディスク１００がＣＤ規格の低反射型のディスク（具体的には、ＣＤ−ＲＯＭ、ＣＤ−Ｒなど）であると判定する（＃１３）。一方、ＣＤ−ＡＳ（ｍａｘ）が閾値よりも小さくなければ（＃１２のＮｏ）、ディスク１００がＣＤ規格の高反射型のディスク（具体的には、ＣＤ−ＲＷなど）であると判定する（＃１４）。
【００２９】
｛ＤＶＤ−ＦＥ（ｐｐ）／ＤＶＤ−ＡＳ（ｍａｘ）｝／｛ＣＤ−ＦＥ（ｐｐ）／ＣＤ−ＡＳ（ｍａｘ）｝が閾値よりも大きくなければ（＃１１のＮｏ）、ディスク１００がＤＶＤ規格であると判定し、さらに、ＤＶＤ−ＡＳ（ｍａｘ）が閾値よりも小さいか否かを判定する（＃１５）。尚、本実施形態では、＃１５での閾値を０．７［Ｖ］としている。但し、＃１５での閾値は、本実施形態の値に限定されるものではなく、種々の条件に応じた最適な値に設定すればよい。
【００３０】
ＤＶＤ−ＡＳ（ｍａｘ）が閾値よりも小さければ（＃１５のＹｅｓ）、ディスク１００がＤＶＤ規格の低反射型のディスク（具体的には、２層型ＤＶＤなど）であると判定する（＃１６）。一方、ＤＶＤ−ＡＳ（ｍａｘ）が閾値よりも小さくなければ（＃１５のＮｏ）、ディスク１００がＤＶＤ規格の高反射型のディスク（具体的には、１層型ＤＶＤなど）であると判定する（＃１７）。
【００３１】
このように、本実施形態では、ＣＤ用レーザ１１を点灯させてフォーカスサーチをしているときのフォーカシングエラー信号の振幅に応じた値（具体的にはピーク・ツー・ピーク値）と全加算信号の振幅に応じた値（具体的には最大値）との比と、ＤＶＤ用レーザ１２を点灯させてフォーカスサーチをしているときのフォーカシングエラー信号の振幅に応じた値と全加算信号の振幅に応じた値との比との比に基づいてディスク１００がＣＤ規格のものであるかＤＶＤ規格のものであるかを判別するようになっている。
【００３２】
そして、ＣＤ規格であるかＤＶＤ規格であるかを大別した後に、ＣＤ規格であると判別した場合は、ＣＤ用レーザ１１を点灯させてフォーカスサーチをしているときの全加算信号の振幅に応じた値に基づいて、一方、ＤＶＤ規格であると判別した場合は、ＤＶＤ用レーザ１２を点灯させてフォーカスサーチをしているときの全加算信号の振幅に応じた値に基づいて、それぞれ高反射型のディスクであるか、それとも、低反射型のディスクであるかを判別するようになっている。
【００３３】
このようにして、再生対象であるディスク１００の種類を識別すると、システムコントローラ１１は、ディスク１００の種類に応じてトラッキングエラー信号の生成方法、エラーレベル、デコーダの動作などの各種のパラメータを設定する。これにより、ディスク１００の種類に適した再生動作が行われ、ディスク１００に記録されている情報の再生が可能となる。
【００３４】
ここで、フォーカシングエラー信号ＦＥは、ディスク１００に照射されるビームのスポットのディスク１００の記録面に対する位置に応じて例えば図３の（ａ）に示すように変化する。すなわち、ディスク１００に照射されるビームのスポットがディスク１００の記録面に合致する位置（以下、「合焦位置」と称する）であるときには、フォーカシングエラー信号ＦＥが０になり、また、合焦位置の近傍であるときには、対物レンズがディスクから遠いほどフォーカシングエラー信号ＦＥの絶対値が正の極性で大きくなり、一方、対物レンズがディスクに近いほどフォーカシングエラー信号ＦＥの絶対値が負の極性で大きくなる。但し、合焦位置の近傍でないときには、対物レンズがディスクに対して遠くあるいは近くなるほど絶対値が小さくなり、最終的には０になる。また、全加算信号ＡＳは、図３の（ｂ）に示すように、合焦位置で最大となる。
【００３５】
そして、ＣＤ規格のディスクにＣＤ用レーザ１１から出射されるビームを照射してフォーカスサーチを行った場合と、ＤＶＤ規格のディスクにＣＤ用レーザ１１から出射されるビームを照射してフォーカスサーチを行った場合とでは、前者の場合の方が後者の場合よりも図３の（ａ）、（ｂ）にそれぞれ示したフォーカシングエラー信号ＦＥの振幅Ａ−ＦＥ、全加算信号ＡＳの振幅Ａ−ＡＳが大きくなる。
【００３６】
また、ＤＶＤ規格のディスクにＤＶＤ用レーザ１２から出射されるビームを照射してフォーカスサーチを行った場合と、ＣＤ規格のディスクにＤＶＤ用レーザ１２から出射されるビームを照射してフォーカスサーチを行った場合とでは、前者の場合の方が後者の場合よりも図３の（ａ）、（ｂ）にそれぞれ示したフォーカシングエラー信号ＦＥの振幅Ａ−ＦＥ、全加算信号ＡＳの振幅Ａ−ＦＥが大きくなる。
【００３７】
したがって、理論的には、ＣＤ用レーザ１１あるいはＤＶＤ用レーザ１２のどちらか一方を点灯させることによってディスク１００にビームを照射してフォーカスサーチの行い、そのときのフォーカシングエラー信号の振幅あるいは全加算信号ＡＳの振幅のどちらか一方に基づいてディスク１００がＣＤ規格のものであるかＤＶＤ規格のものであるかを判定することができる。
【００３８】
しかしながら、実際には、ディスクの反射率やレーザのパワーにばらつきが存在するため、フォーカシングエラー信号の振幅あるいは全加算信号ＡＳの振幅のどちらか一方に基づいてディスクの種類を判別する方法では、ＣＤ規格のディスクとＤＶＤ規格のディスクとを正確に判別することができない。
【００３９】
これに対して、本実施形態では、フォーカスサーチを行っているときのフォーカシングエラー信号の振幅に応じた値（具体的には、ピーク・ツー・ピーク値）と全加算信号の振幅に応じた値（具体的には、最大値）との比（以下、「ＦＥ・ＡＳ比」と称する）に基づいてディスクの種類を判別しているので、ディスクの反射率やレーザのパワーに存在するばらつきを排除して、ＣＤ規格のディスクとＤＶＤ規格のディスクとをより正確に判別することができる。
【００４０】
さらに、本実施形態では、ＣＤ用レーザ１１を点灯させたときに得られるＦＥ・ＡＳ比と、ＤＶＤ用レーザ１２を点灯させたときに得られるＦＥ・ＡＳ比との比に基づいてディスクの種類を判別しているので、フォーカシングエラー信号の生成する回路特性や全加算信号を生成する回路特性にばらつきがあったとしても、このばらつきを排除して、ＣＤ規格のディスクとＤＶＤ規格のディスクとをより一層正確に判別することができる。
【００４１】
また、本実施形態では、ディスクの種類を判別するにあたって、フォーカシングエラー信号と全加算信号との２種類の信号しか使用しないので、迅速且つ簡単にディスクの種類を判別することができる。
【００４２】
尚、上記実施形態では、ディスクの種類を判別するにあたって、ＣＤ用レーザを点灯させてフォーカスサーチを行ってからＤＶＤ用レーザを点灯させてフォーカスサーチを行うようになっていたが、ＤＶＤ用レーザを点灯させてフォーカスサーチを行ってからＣＤ用レーザを点灯させてフォーカスサーチを行うようにしても構わない。
【００４３】
また、上記実施形態では、フォーカスサーチを行っているときのフォーカシングエラー信号のピーク・ツー・ピーク値と全加算信号の最大値との比に基づいてディスクの種類を判別するようになっていたが、例えばフォーカスサーチを行っているときのフォーカシングエラー信号の最大値あるいは最小値と全加算信号の平均値との比に基づいてディスクの種類を判別するなど、フォーカシングエラー信号の振幅に応じた値と全加算信号の振幅に応じた値との比に基づいてディスクの種類を判別するようになっていればよい。
【００４４】
【発明の効果】
以上説明したように、本発明によれば、ＣＤ用レーザを点灯させてフォーカスサーチを行っているときに検出されるフォーカシングエラー信号の振幅に応じた値（上記実施形態ではピーク・ツー・ピーク値）と全加算信号の振幅に応じた値（上記実施形態では最大値）との比と、ＤＶＤ用レーザを点灯させてフォーカスサーチを行っているときに検出されるフォーカシングエラー信号の振幅に応じた値（上記実施形態ではピーク・ツー・ピーク値）と全加算信号の振幅に応じた値（上記実施形態では最大値）との比との比に基づいてディスクの種類を判別しているので、ディスクの種類をより正確、迅速、且つ、簡単に判別することができるようになる。
【図面の簡単な説明】
【図１】本発明の一実施形態であるディスク再生装置のブロック図である。
【図２】図１のディスク再生装置においてディスクの種類を判別する際にシステムコントローラが行う動作のフローチャートである。
【図３】フォーカシングエラー信号及び全加算信号の波形を示す図である。
【符号の説明】
１    ピックアップ
２    ＲＦアンプ
３    ＤＳＰ
４    ドライバ
５    再生処理回路
６    出力回路
７    送りモータ
８    スピンドルモータ
９    操作部
１０    表示部
１１    システムコントローラ
【図１】
0003608737.tif 000002
【図２】
0003608737.tif 000003
【図３】
0003608737.tif 000004